(57)【要約】【課題】折板を強い力で弾性変形させることなく容易に施工することができ、しかも、折板との連結強度を大きくして負圧に対する強度不足を生じないようにすることができるタイトフレームを提供する。【解決手段】折板を屋根下地４に固定するためのタイトフレームＡに関する。断面略逆Ｕ字状のフレーム本体７と、フレーム本体７の頂部８に取り付けられる係止体９とを備えて形成される。前記係止体９の側端部は係止部１０として形成される。前記係止部１０がフレーム本体７の側部１１よりも外側方に突出しない状態からフレーム本体７の側部１１よりも外側方に突出して折板の被係止部を係止する状態となるように、前記係止体９をフレーム本体７に対して回動自在に形成する。【選択図】図１
2009046914.tif 000002
【特許請求の範囲】
【請求項１】
折板を屋根下地に固定するためのタイトフレームであって、断面略逆Ｕ字状のフレーム本体と、フレーム本体の頂部に取り付けられる係止体とを備えて形成され、前記係止体の側端部は係止部として形成され、前記係止部がフレーム本体の側部よりも外側方に突出しない状態からフレーム本体の側部よりも外側方に突出して折板の被係止部を係止する状態となるように、前記係止体をフレーム本体に対して回動自在に形成して成ることを特徴とするタイトフレーム。
【請求項２】
請求項１に記載のタイトフレームにより折板を屋根下地に固定して形成される折板屋根であって、前記折板は、谷部の両側端部に上方に突出する山部半体を設けると共に山部半体に側方に突出する被係止部を設けることによって形成され、屋根下地に固定された前記タイトフレームの係止体の係止部がフレーム本体の側部よりも外側方に突出しない状態で、折板をタイトフレームのフレーム本体の一側方に配置し、前記係止体をフレーム本体に対して回動して係止部をフレーム本体の側部よりも外側方に突出することによって、前記折板の被係止部を係止し、前記フレーム本体の他側方に他の折板を配置すると共にこの他の折板の被係止部を前記係止体の係止部に係止し、係止体の上方において前記折板の隣接する山部半体を連結して成ることを特徴とする折板屋根。
【発明の詳細な説明】
【技術分野】
【０００１】
本発明は、折板を屋根下地に固定するためのタイトフレーム及びこれを用いて形成される折板屋根に関するものである。
【背景技術】
【０００２】
従来より、複数枚の折板をタイトフレームで屋根下地に固定することにより折板屋根が形成されている。通常、折板とタイトフレームとを接続するにあたっては吊子が使用されるが、図６に示すように、吊子を使用しないタイプのものも提案されている（例えば、特許文献１参照）。これに使用されるタイトフレーム５０は、断面略逆Ｕ字状の支持部５１を有し、支持部５１の両下端に外側に向いて突出する固定片５２を設けて形成されている。また、支持部５１の外側面には係止部５３が突設されている。一方、折板５４は平板状の谷部５５と、その両側から斜め上方に向かって突設される山部５６、５６とを有して形成されており、山部５６の側部には裏面側に突出する被係止部５７が突設されている。
【０００３】
そして、折板屋根を形成するにあたっては、複数個のタイトフレーム５０、５０…を屋根下地５８の上に並べて固定し、隣り合うタイトフレーム５０、５０の間に折板５４を嵌め込んで配置する。このとき、タイトフレーム５０の支持部５１の係止部５３の下に折板５４の被係止部５７を係止し、タイトフレーム５０と折板５４とを連結する。このようにして複数枚の折板５４、５４…を配置した後、支持部５１の上側において隣接する折板５４、５４の山部５６、５６の端部同士を馳接合する。こうして折板屋根を形成することができる。
【０００４】
しかし、上記の場合、折板５４を弾性変形させながら支持部５１の係止部５３に折板５４の被係止部５７を係止しなければならず、タイトフレーム５０と折板５４とを連結するのに強い力を必要とし、しかも折板５４に塑性変形や傷が生じて折板屋根の外観や防水性が低下するおそれがあった。また、係止部５３の突出寸法を小さくすることにより、弱い力でタイトフレーム５０と折板５４とを連結できるようにすると、タイトフレーム５０から折板５４が外れやすくなり、負圧に対する強度不足が生じるおそれがあった。
【特許文献１】特開平１−２０３５５２号公報
【発明の開示】
【発明が解決しようとする課題】
【０００５】
本発明は上記の点に鑑みてなされたものであり、折板を強い力で弾性変形させることなく容易に施工することができ、しかも、折板との連結強度を大きくして負圧に対する強度不足を生じないようにすることができるタイトフレーム及び折板屋根を提供することを目的とするものである。
【課題を解決するための手段】
【０００６】
本発明の請求項１に係るタイトフレームＡは、折板３を屋根下地４に固定するためのタイトフレームＡであって、断面略逆Ｕ字状のフレーム本体７と、フレーム本体７の頂部８に取り付けられる係止体９とを備えて形成され、前記係止体９の側端部は係止部１０として形成され、前記係止部１０がフレーム本体７の側部１１よりも外側方に突出しない状態からフレーム本体７の側部１１よりも外側方に突出して折板３の被係止部５を係止する状態となるように、前記係止体９をフレーム本体７に対して回動自在に形成して成ることを特徴とするものである。
【０００７】
本発明の請求項２に係る折板屋根は、請求項１に記載のタイトフレームＡにより折板３を屋根下地４に固定して形成される折板屋根であって、前記折板３は、谷部２の両側端部に上方に突出する山部半体１、１を設けると共に山部半体１に側方に突出する被係止部５を設けることによって形成され、屋根下地４に固定された前記タイトフレームＡの係止体９の係止部１０がフレーム本体７の側部１１よりも外側方に突出しない状態で、折板３をタイトフレームＡのフレーム本体７の一側方に配置し、前記係止体９をフレーム本体７に対して回動して係止部１０をフレーム本体７の側部１１よりも外側方に突出することによって、前記折板３の被係止部５を係止し、前記フレーム本体７の他側方に他の折板３を配置すると共にこの他の折板３の被係止部５を前記係止体９の係止部１０に係止し、係止体９の上方において前記折板３、３の隣接する山部半体１、１を連結して成ることを特徴とするものである。
【発明の効果】
【０００８】
本発明では、係止体９の係止部１０をフレーム本体７の側部１１よりも側方に突出していない状態で、フレーム本体７の側方に折板３を配置した後、係止体９をフレーム本体７に対して回動させることによって、係止体９の係止部１０をフレーム本体７の側部１１よりも側方に突出させて折板３の被係止部５を係止することができ、折板３を強い力で弾性変形させることなく係止部１０と被係止部５とを係止させることができて容易に施工することができるものである。また、折板３を弾性変形させる必要がないために、係止部１０及び被係止部５の突出寸法を大きくすることができ、この結果、タイトフレームＡと折板３との連結強度を大きくすることができて負圧に対する強度不足を生じないようにすることができるものである。
【発明を実施するための最良の形態】
【０００９】
以下、本発明を実施するための最良の形態を説明する。
【００１０】
図１に本発明のタイトフレームＡを示す。このタイトフレームＡはフレーム本体７と係止体９とを備えて形成されている。
【００１１】
フレーム本体７は矩形状（帯状）の鋼板などの金属板を断面略逆Ｕ字状に折り曲げ加工して形成されるものであって、フレーム本体７の両方の下端には外側（側方）に向かって突出する固定片１６、１６が形成されている。本発明のタイトフレームＡでは、複数のフレーム本体７、７…が固定片１６を介して側方に連なって形成されていてもよいし、一つのフレーム本体７で一つのタイトフレームＡが形成されていてもよい。また、フレーム本体７の頂部８は幅方向に長い矩形平板状に形成されており、頂部８の両側端から斜め下方に向かってフレーム本体７の側部１１が突設されている。また、側部１１の下端に延設される上記固定片１６には固定孔１７が設けられている。
【００１２】
係止体９は矩形平板状の底板部１８と、底板部１８の長手端部に沿って形成される補強部１９とで断面略コ字状に形成されている。補強部１９は底板部１８よりも上方に突出しており、その上端は中央部から側端部に向かって下り傾斜するように形成されている。また、底板部１８の側端部も前後方向で傾斜するように形成されている。そして、係止体９の底板部１８の両方の側端部が係止部１０として形成されている。
【００１３】
そして、上記のフレーム本体７の上側に係止体９を取り付けることによって、タイトフレームＡを形成することができる。フレーム本体７の上側に係止体９を取り付けるにあたっては、頂部８の上に係止体９を載置し、頂部８の略中央部と係止体９の底板部１８の略中央部とを貫通するようにしてボルト等の軸部材２１を挿着し、この軸部材２１にナットなどの締結具２２を螺着するようにする。このようにして係止体９をフレーム本体７の上側に軸部材２１を中心として水平面で回動自在に枢着することができる。ここで、図２（ａ）〜（ｃ）に示すように、係止体９の底板部１８の長手方向の寸法は頂部８の幅寸法（側部１１、１１の上端間の寸法）よりも大きく形成されている。従って、係止体９をフレーム本体７に対して回動させることにより、底板部１８の長手方向と頂部８の幅方向とを一致させた場合には、係止体９の両側端の係止部１０、１０がフレーム本体７の側部１１の外側面（表面）よりも側方（外側）に突出した状態となる。一方、係止体９をフレーム本体７に対して回動させることにより、例えば、底板部１８の長手方向と頂部８の幅方向とを直交させた場合には、係止体９の両側端の係止部１０、１０がフレーム本体７の側部１１の外側面（表面）よりも側方（外側）に突出しない状態とすることができる。
【００１４】
図３に本発明で用いる折板３を示す。折板３は塗装鋼板や亜鉛めっき鋼板などの金属板を折り曲げ加工して形成される屋根材であって、屋根の傾斜方向（流れ方向）に長尺に形成されるものである。また、折板３は断面略Ｕ字状に形成されており、平板状の谷部２と、その両側から斜め上方に向かって突出する山部半体１、１とを備えて形成されている。山部半体１、１のうち、一方の山部半体１ａの上部は、谷部２と反対側に向かって突出する頂部片２３と、頂部片２３の端部から上方に向かって突出する断面略逆Ｕ字状の嵌合部２４とから構成されている。また、山部半体１、１のうち、他方の山部半体１ｂの上部は、谷部２と反対側に向かって突出する頂部片２３と、頂部片２３の端部から上方に向かって突出する断面略逆Ｌ字状の被嵌合部２５とから構成されている。また、山部半体１ａ、１ｂの傾斜部分の側部１２には被係止部５が設けられている。被係止部５は山部半体１ａ、１ｂの側部１２の一部を折り曲げて山部１半体ａ、１ｂの裏面側（側方）に突出するように形成されている。被係止部５は山部１ａ、１ｂの傾斜部分の中央部よりもやや上側に形成することができ、また、折板３の長尺方向の全長にわたって形成することができる。
【００１５】
そして、本発明の折板屋根を形成するあたっては、次のようにして施工することができる。まず、図４（ａ）に示すように、複数個のタイトフレームＡ、Ａ…を建物の母屋などの屋根下地４の上に固定する。このとき、タイトフレームＡの固定片１６を屋根下地４の上に載せ、固定孔１７にボルトなどの固定具を上側から挿通すると共にこの固定具を屋根下地４にねじ込んで螺着することによって、タイトフレームＡを屋根下地４に固定することができる。タイトフレームＡは屋根下地４の長手方向に並べて複数個取り付けることができ、これにより、屋根下地４の長手方向（屋根の傾斜方向と直交する方向）のほぼ全長にわたって複数個のタイトフレームＡ…を並設することができる。また、この場合、フレーム本体７の頂部８の幅方向が屋根下地４の長手方向と一致している。尚、複数個のフレーム本体７、７…が連なって一つのタイトフレームＡが形成されている場合は、フレーム本体７及び係止体９が必要な個数に足りれば、一つのタイトフレームＡのみを屋根下地４に取り付ければよい。
【００１６】
次に、図４（ｂ）に示すように、屋根の傾斜方向に並設された複数本の屋根下地４、４…の上に一枚の折板３Ａを架設する。このとき、フレーム本体７に取り付けた係止体９の長手方向がフレーム本体７の頂部８の幅方向と直交するように、すなわち、折板３の長手方向と係止体９の長手方向とが一致するように、係止体９をフレーム本体７に対して回動させている。従って、この係止体９の係止部１０はフレーム本体７の側部１１の外側面（表面）よりも側方（外側）に突出しない状態となっている。また、屋根下地４に取り付けたタイトフレームＡの隣り合うフレーム本体７、７の間に折板３Ａの谷部２を位置させて屋根下地４の上に載置する。また、この折板３Ａの一方（被嵌合部２５を設けた方）の山部半体１ｂの被係止部５を一つのフレーム本体７Ａに近接して配置するが、この被係止部５はフレーム本体７Ａの頂部８よりも僅かに低い位置（下側）に配置されるようになっている。また、この一方の山部半体１ｂに形成される頂部片２３及び被嵌合部２５は近接させた上記フレーム本体７Ａに設けた係止体９Ａの上側に位置するようになっている。
【００１７】
次に、図４（ｃ）に示すように、被係止部５を近接させた上記フレーム本体７Ａに設けた係止体９Ａを回動させることによって、係止体９Ａの係止部１０の下側に上記被係止部５を係止させる。すなわち、上記フレーム本体７Ａに設けた係止体９Ａを回動させることによって、係止体９Ａの長手方向とフレーム本体７Ａの頂部８の幅方向とを一致させることにより、この係止体９Ａの係止部１０をフレーム本体７Ａの側部１１の外側面（表面）よりも側方（外側）に突出する状態にすることによって、突出した係止部１０の下側に上記被係止部５を係止させることができる。
【００１８】
次に、図５（ａ）に示すように、上記とは別の他の折板３Ｂを屋根の傾斜方向に並設された複数本の屋根下地４、４…の上に架設する。ここで、新たに架設するこの折板３Ｂは上記既設の折板３Ａに隣接して配置され、上記フレーム本体７Ａとこれに隣り合うフレーム本体７Ｂとの間に配置される。また、新たに架設するこの折板３Ｂの一方の山部半体（既設の折板３Ａに近い方の山部半体）１ａの被係止部５は、上記フレーム本体７Ａの係止体９Ａの係止部１０の下側に係止される。このとき、折板３Ｂの反対側の山部半体（既設の折板３Ａに遠い方の山部半体）１ｂの被係止部５は、他のフレーム本体７Ｂの係止体９Ｂの係止部１０には固定されていないので、折板３を強い力で弾性変形させることなくフレーム本体７Ａに設けた係止体９Ａの係止部１０と被係止部５とを係止させることができる。また、折板３Ｂの上記反対側の山部半体１ｂに形成される頂部片２３及び被嵌合部２５は近接させた上記フレーム本体７Ｂに設けた係止体９Ｂの上側に位置するようになっている。また、新たに架設する折板３Ｂの既設の折板３Ａに近い方の山部半体１ａの嵌合部２４を、既設の折板３Ａの上記山部半体１ｂの被嵌合部２５に上側から嵌め込んだ後、折り曲げて馳締め（ハゼ締め）する。これにより、隣接する山部半体１ａ、１ｂを連結して山部６を形成し、隣接する折板３Ａ、３Ｂを接続することができる。
【００１９】
次に、図５（ｂ）に示すように、折板３Ｂの被係止部５を近接させた上記フレーム本体７Ｂに設けた係止体９Ｂを回動させることによって、係止体９Ｂの係止部１０の下側に折板３Ｂの被係止部５を係止させる。すなわち、上記フレーム本体７Ｂに設けた係止体９Ｂを回動させることによって、係止体９Ｂの長手方向とフレーム本体７Ｂの頂部８の幅方向とを一致させることにより、この係止体９Ｂの係止部１０をフレーム本体７Ｂの側部１１の外側面（表面）よりも側方（外側）に突出する状態にすることによって、突出した係止部１０の下側に折板３Ｂの上記被係止部５を係止させることができる。
【００２０】
この後、図５（ｃ）に示すように、さらに上記とは別の折板３Ｃを屋根の傾斜方向に並設された複数本の屋根下地４、４…の上に架設し、上記折板３Ｂと同じ要領で敷設する。このようにして複数枚の折板３、３…を敷設していくことにより、山部６と谷部２とを交互に連続して有する折板屋根を形成することができる。
【００２１】
上記のように、本発明のタイトフレームＡを用いた折板屋根では、係止体９の係止部１０をフレーム本体７の側部１１よりも側方に突出していない状態で、タイトフレームＡの側方に折板３を配置し、この後、係止体９をフレーム本体７に対して回動させて、折板３の被係止部５を係止するので、折板３を強い力で弾性変形させることなく係止部１０と被係止部５とを係止させることができて容易に施工することができる。また、折板３を弾性変形させる必要がないために、係止部１０及び被係止部５の突出寸法を大きくすることができ、この結果、タイトフレームＡと折板３との連結強度を大きくすることができて負圧に対する強度不足を生じないようにすることができる。
【図面の簡単な説明】
【００２２】
【図１】本発明のタイトフレームの一例を示す斜視図である。
【図２】同上の（ａ）（ｂ）は正面図、（ｃ）は一部の平面図である。
【図３】同上の折板の一例を示す斜視図である。
【図４】同上の折板屋根の施工途中の一例を示し、（ａ）〜（ｃ）は断面図である。
【図５】同上の折板屋根の施工途中の一例を示し、（ａ）〜（ｃ）は断面図である。
【図６】従来例を示す断面図である。
【符号の説明】
【００２３】
Ａ  タイトフレーム
１  山部半体
２  谷部
３  折板
４  屋根下地
５  被係止部
７  フレーム本体
８  頂部
９  係止体
１０  係止部
１１  側部
１２  側部
【図１】
2009046914.tif 000003
【図２】
2009046914.tif 000004
【図３】
2009046914.tif 000005
【図４】
2009046914.tif 000006
【図５】
2009046914.tif 000007
【図６】
2009046914.tif 000008